(57)【要約】【課題】電源ＯＮした直後から短時間で使用可能で、しかも省エネ効果の高いトイレ装置を提供する。【解決手段】人体局部を洗浄する洗浄ノズル７と、洗浄ノズルを収納する収納部４と、洗浄中に洗浄水を加熱する温水ヒータ５と、便蓋２の開閉検知を行う便蓋開閉検知手段３と、制御部４を備え、前記制御部４は便蓋２の開状態を検知すると電源をＯＮし、便蓋２の閉状態及び洗浄ノズル７が収納部４に収納されたことを検知すると電源をＯＦＦすることにより、節電による省エネ効果と、使用するときに電源スイッチをＯＮした直後から使用者が素早く人体局部洗浄をすることができる。【選択図】図１
2006316413.tif 000002
【特許請求の範囲】
【請求項１】
人体局部を洗浄する洗浄ノズルと、前記洗浄ノズルを収納する収納部と、洗浄中に洗浄水を加熱する温水ヒータと、便蓋の開閉検知を行う便蓋開閉検知手段と、制御部を備え、前記制御部は便蓋の開状態を検知すると電源をＯＮし、便蓋の閉状態及び洗浄ノズルが前記収納部に収納されたことを検知すると電源をＯＦＦするトイレ装置。
【請求項２】
便座内部に輻射式発熱体を配設した請求項１に記載のトイレ装置。
【請求項３】
便蓋を駆動させる便蓋駆動手段を備え、使用後に洗浄ノズルは収納部に収納された後、前記便蓋駆動手段は便蓋閉状態とする請求項１または２に記載のトイレ装置。
【発明の詳細な説明】
【技術分野】
【０００１】
本発明は、トイレ装置の制御に関し、特に洗浄ノズル収納時、洗浄ノズルの原点復帰を行い、その後電源ＯＦＦするトイレ装置の制御に関するものである。
【背景技術】
【０００２】
従来、この種のトイレ装置は、省エネルギーを図る構成として図４に示すように、商用電源１とトイレ装置の電源回路１４との間に電源スイッチ８を配設し、トイレ装置の未使用時にはこの電源スイッチ８をＯＦＦするようにしている。
【０００３】
また、この電源スイッチ８がＯＮしてトイレ装置に電源が供給され、所要の手段が洗浄のための予備動作を開始する、即ち使用する前に洗浄ノズルの原点復帰を行うように構成されている。
【特許文献１】特開２０００−１２０１３６号公報
【発明の開示】
【発明が解決しようとする課題】
【０００４】
しかしながら、前記従来の構成では、図４のように電源スイッチ８をＯＦＦにすると、消費電力は完全にゼロになって完全な節電効果が得られるが、その電源スイッチ８をＯＦＦする前に洗浄ノズルの原点復帰を行っていない為、次回トイレ装置を使用するときは電源スイッチ８をＯＮした後、所要の手段が洗浄のための予備動作を開始する、即ち洗浄ノズルの原点復帰を行う為、洗浄ノズルの原点復帰が完了するまでの間、人体局部を洗浄することができないという課題を有していた。
【０００５】
本発明は、前記従来の課題を解決するもので、人体局部洗浄後に洗浄ノズルの原点復帰を行い、その後電源スイッチ８をＯＦＦすることで、次回トイレ装置を使用するときに電源スイッチ８をＯＮした後に洗浄ノズルの原点復帰する必要が無く、使用者に素早く人体局部洗浄ができるトイレ装置を提供することを目的とする。
【課題を解決するための手段】
【０００６】
前記従来の課題を解決するために、本発明のトイレ装置は、人体局部を洗浄する洗浄ノズルと、前記洗浄ノズルを収納する収納部と、洗浄中に洗浄水を加熱する温水ヒータと、便蓋の開閉検知を行う便蓋開閉検知手段と、制御部を備え、前記制御部は便蓋の開状態を検知すると電源をＯＮし、便蓋の閉状態及び洗浄ノズルが前記収納部に収納されたことを検知すると電源をＯＦＦすることとしたものである。
【０００７】
これによって、節電による省エネ効果と、次回トイレ装置を使用するときに電源をＯＮした直後から使用者は素早く人体局部洗浄ができることとなる。
【発明の効果】
【０００８】
本発明のトイレ装置は、節電による省エネ効果と、次回使用するときに電源をＯＮした直後から素早く人体局部洗浄ができるトイレ装置を提供することができる。
【発明を実施するための最良の形態】
【０００９】
第１の発明は、人体局部を洗浄する洗浄ノズルと、洗浄ノズルを収納する収納部と、洗浄中に洗浄水を加熱する温水ヒータと、便蓋の開閉検知を行う便蓋開閉検知手段と、制御部を備え、前記制御部は便蓋の開状態を検知すると電源をＯＮし、便蓋の閉状態及び洗浄ノズルが収納部に収納されたことを検知すると電源をＯＦＦすることにより、節電による省エネ効果と、次回トイレ装置を使用するときに電源スイッチをＯＮした直後から使用者に素早く人体局部洗浄をすることができる。
【００１０】
第２の発明は、特に、第１の発明のトイレ装置の便座内部に輻射式発熱体を配設することにより、電源スイッチをＯＮした後、短時間で便座を適温まで昇温することで、直ぐに着座することができ、使用者は素早く人体局部洗浄をすることができる。
【００１１】
第３の発明は、特に、第１または第２の発明のトイレ装置に便蓋を駆動させる便蓋駆動手段を備え、使用後に洗浄ノズルは収納部に収納された後、便蓋駆動手段は便蓋閉状態とすることにより、トイレ装置の電源がＯＦＦすることとなり、使い勝手よく節電することができる。
【００１２】
以下、本発明の実施の形態について、図面を参照しながら説明する。なお、本実施の形態によって本発明が限定されるものではない。
【００１３】
（実施の形態１）
図１は、本発明の第１の実施の形態におけるトイレ装置のブロック図を示すものである。
【００１４】
図１において、洗浄ノズル７は人体局部を洗浄するときに洗浄水を局部に向けて噴射するものであり、洗浄以外のときは収納部６に収納されているものである。温水ヒータ５は人体局部洗浄時、洗浄ノズル７に供給する洗浄水を瞬間的に所定の温度まで加熱するものである。便蓋開閉検知手段３は便蓋の開閉検知を行い、それによって商用電源１をトイレ装置に供給したり遮断したりする電源スイッチ３ａを設けたものでもある。便蓋２が開状態を検知している時は電源スイッチがＯＮしてトイレ装置に電源が供給される。また、便蓋２が閉状態を検知している時は、制御部４からの制御により電源スイッチ３ａをＯＦＦにすることができるようになっており、洗浄ノズル７が収納部６に完全に収納されたら電源スイッチ３ａをＯＦＦする構成とされている。
【００１５】
以上のように構成されたトイレ装置について、以下その動作、作用を説明する。
【００１６】
まず、使用者が便蓋２を開動作することで、便蓋開閉検知手段３の内部に設けられた電源スイッチがＯＮしてトイレ装置に電源が供給される。そして、使用者が人体局部洗浄を行った後、洗浄ノズル７が収納部６に収納する時に洗浄ノズル７が収納部６に確実に収まった状態の原点復帰を行うことで、次回トイレ装置を使用するときに電源をＯＮした直後から使用者は素早く人体局部洗浄をすることができる。
【００１７】
また、制御部４は人体局部洗浄後、洗浄ノズル７が収納部６に収納されて便蓋２が閉状態になった場合は、便蓋開閉検知手段３の内部に設けられた電源スイッチ３ａをＯＦＦすることで、トイレ装置に対して電源供給は遮断されるので待機電力をゼロになり、完全な節電効果が得られる。
【００１８】
また、ヒータ５は人体局部洗浄時、洗浄ノズル７の供給する洗浄水を瞬間的に所定の温度まで加熱するので、トイレ装置に電源が供給された直後に使用しても快適な使用状態が得られるため、トイレ装置の使用しないときは常に電源を遮断しておくことができ、使い勝手良く節電効果を確保できる。
【００１９】
（実施の形態２）
図２は、本発明の第２の実施の形態のトイレ装置のブロック図を示すものである。
【００２０】
図２は、図１に示す構成のトイレ装置において、便座内部に便座ヒータとして輻射式発熱体であるランプヒータ８を配設してあり、ランプヒータ８は使用者が便座に着座して冷たいと感じなくなる温度（例えば３５℃など）にまで昇温する時間を、電源を供給してから数秒という短時間で便座を暖めることができるように構成されている。
【００２１】
なお、実施の形態１と同一符号のものは同一構造を有するものとし、再度の説明は省略する。
【００２２】
以上のように構成されたトイレ装置について、以下その動作、作用を説明する。
【００２３】
使用者が便蓋２を開動作することで、便蓋開閉検知手段３内部に設けられた電源スイッチがＯＮしてトイレ装置に電源が供給される。そして、トイレ装置に電源がＯＮした直後からランプヒータ８をＯＮしても数秒で快適な便座温度まで昇温することができるため、トイレ装置の使用しないときは常に電源を遮断しておくことができ、使い勝手良く節電効果を確保できる。
【００２４】
（実施の形態３）
図３は、本発明の第３の実施の形態のトイレ装置のブロック図を示すものである。
【００２５】
図３は、図２に示す構成のトイレ装置に便蓋２を駆動させる便蓋駆動手段９を備えたものであり、便蓋駆動手段９は人体局部洗浄後、洗浄ノズル７が収納部６に収納された後、便蓋２を駆動して閉状態にするように構成されている。
【００２６】
なお、実施の形態１または２と同一符号のものは同一構造を有するものとし、再度の説明は省略する。
【００２７】
以上のように構成されたトイレ装置について、以下その動作、作用を説明する。
【００２８】
使用者が人体局部洗浄を行った後、洗浄ノズル７が収納部６に収納する時に洗浄ノズル７の原点復帰を行い。その後、便蓋駆動手段９は便蓋２を駆動して閉状態にする。そして、制御部４は便蓋開閉検知手段３の内部に設けられた電源スイッチをＯＦＦすることで、トイレ装置に対して電源供給は遮断されるので待機電力をゼロにでき、完全な節電効果が得られる。
【産業上の利用可能性】
【００２９】
以上のように、本発明にかかるトイレ装置は、洗浄ノズルの原点復帰後電源をＯＦＦすることで、待機電力をゼロにすることが可能となるので、パソコン等の終了作業の伴う機器等の用途にも適用できる。
【図面の簡単な説明】
【００３０】
【図１】本発明の実施の形態１におけるトイレ装置のブロック図
【図２】本発明の実施の形態２におけるトイレ装置のブロック図
【図３】本発明の実施の形態３におけるトイレ装置のブロック図
【図４】従来のトイレ装置のブロック図
【符号の説明】
【００３１】
１  商用電源（電源）
２  便蓋
３  便蓋開閉検出手段
４  制御部
５  温水ヒータ
６  収納部
７  洗浄ノズル
８  ランプヒータ（輻射式発熱体）
９  便蓋駆動手段
【図１】
2006316413.tif 000003
【図２】
2006316413.tif 000004
【図３】
2006316413.tif 000005
【図４】
2006316413.tif 000006